(57)【要約】【課題】第一には所望の分光放射分布の波長領域の分光強度を他の領域へ影響を及ぼすことなく調整ができると共に、急峻な分光強度の変化特性にも対応できる光学機構を備えた光源装置を提供すること、更には光源ランプのスペクトル特性の器差や経年変化があってもそれを補正することができる光源装置を提供することにある。【解決手段】本発明の分光放射分布の調整が可能な光源装置は、所望の分光放射分布に光源装置からの出力光の分光放射分布を一致させる手段として光源と光学素子が組み合わされたものにおいて、単数または複数の特定波長帯域を透過または反射する斜入射多層膜ミラーを使用して光源からの該特定波長帯域を該斜入射多層膜ミラーの反射、透過により除去する手段と、これに新たに用意した光量が調整された光を前記斜入射多層膜ミラーで透過、反射により合波する手段を備え、前記特定波長帯域の光を適度に補うことにより光源装置の出力光の分光放射分布の調整を可能とした。【選択図】図１
2011033871.tif 000002
【特許請求の範囲】
【請求項１】
所望の分光放射分布に光源装置からの出力光の分光放射分布を一致させる手段として光源と光学素子が組み合わされた光源装置において、単数または複数の特定波長帯域を透過または反射する斜入射多層膜ミラーを使用して光源からの該特定波長帯域を該斜入射多層膜ミラーの反射、透過により除去する手段と、光量が調整された前記特定波長帯域の光を得る手段と、前記特定波長帯域が除去された光と前記光量が調整された特定波長帯域の光を斜入射多層膜ミラーで透過、反射により合波する手段とを備え、前記特定波長帯域の光を適度に補うことにより光源装置の出力光の分光放射分布の調整を可能としたことを特徴とする光源装置。
【請求項２】
前記特定波長帯域の光を得る手段には前記光源とは異なる光源を用い、光量の調整は該異なる光源への供給電力を調整するか、光路中に光量調整手段を介在させるようにしたことを特徴とする請求項１に記載された光源装置。
【請求項３】
前記特定波長帯域の光を得る手段には透過／反射型ミラーによって除去された特定波長帯域の光を用い、光量の調整は光路中に光量調節手段をさせるようにしたことを特徴とする請求項１記載された光源装置。
【請求項４】
得られた出力光の分光放射分布を測定する手段と、該測定値を目的の分光放射分布と一致させるよう供給電力または光路中の光量調整手段に帰還を掛ける手段とを備え、自動的に分光放射分布を調整することを可能とした請求項２または３記載された光源装置。
【発明の詳細な説明】
【技術分野】
【０００１】
本発明は、特定の波長帯城での分光放射分布を光学素子を使用して、所望の分光放射分布を容易に得る光源装置、特に疑似太陽光源装置に関する。
【背景技術】
【０００２】
光源として所望の分光放射分布を持ったものが求められる場合がある。例えば、太陽電池の発電効率を評価する際に用いられるソーラーシミュレーターにおいて、太陽電池表面に照射し太陽電池の性能を評価するための人工太陽光源が用いられている。この光源装置に求められる機能は地上に照射される太陽光と同じ分光放射分布を持ち、照度が一定かつ太陽電池表面で均一に安定していることである。特許文献１（特許第１７８８８０５号）には、綜合スペクトル分布特性の均一性や再現性も実用上十分に高く、しかも比較的小型で安価な擬似太陽光照射装置を提供することを目的とした「疑似太陽光照射装置」が提案されている。この目的を達成するために、この発明は、図９に示されるようにキセノン短アークランプ１の発光スペクトルから近赤外成分を除去し、かつ白熱フイラメントランプ10の発光スペクトルから近赤外成分を抽出する単一のフイルタ手段５（赤外線透過型コールドミラー）を設け、近赤外成分を除去されたキセノン短アークランプ１からの発光、および白熱フイラメントランプ10からの発光のうち、前記フイルタ手段５によつて抽出された近赤外成分を、単一の積分光学系に共軸的に入射させるように構成する構造を採用している。図中７は被照射体への投影光学系、８は吸熱機そして９は被照射体となる太陽電池である。要するに、この発明は異なる光源を用い、短波長域の光は一方の光源からの光を長波長域の光は他方の光源からの光を用いるように組合わせて光源装置として所望のスペクトルを持たせようという技術的思想である。
【０００３】
しかし、この疑似太陽光照射装置の分光特性は出願当時のニーズに対応したもので、現在のニーズには十分とはいえないものであるため、現状では図８に示すように２つの光源にはキセノンランプ１とハロゲンランプ２を用い、それぞれの光源について補正フィルター３，４を介在させて出力光がより太陽光の分光特性に近いものとなるようにして使用されているのが実状である。すなわち、出力される人工太陽光の可視域部分はキセノンランプ光源１と可視領域補正フィルター３を使用し、人工太陽光の近赤外域部分はハロゲンランプ光源２と近赤外領域補正フィルター４を使用している。ダイクロイックミラー５を用いてキセノンランプ光源１からの可視光を反射しハロゲンランプ光源２からの近赤外光を透過するようにし、それぞれからの反射、透過光を合波して地上における太陽光の分光特性に整合させて照射光としている。
【０００４】
また、特許文献２には、スペクトル変換フィルターから出射される光のスペクトル分布が場所的に一様な光を出射することのできる光源装置、スペクトル変換フィルターから出射される光の照度が場所的に一様な光を出射することのできる光源装置を提供すること、また、太陽電池に照射後反射された光が再び太陽電池に照射されることを防止した擬似太陽光照射装置を提供することを目的とした「擬似太陽光照射装置」が提示されている。この発明は、長尺フラッシュランプと、長尺フラッシュランプの中心軸と同心円筒状に形成されたスペクトル変換フィルターとからなり、長尺フラッシュランプからスペクトル変換フィルタに入射する光の入射角を略０度にしたことを特徴としたものである。この光源装置は基本的に１つの光源（長尺キセノンフラッシュランプ）と１つのスペクトル変換フィルターを用いて太陽光に近いスペクトルの光を発生させ疑似太陽光照射装置としたものである。
【０００５】
これらの人工太陽光源装置は使用する広波長域の光源から出力される光を太陽光の分光放射分布に分光特性を近づけるため、前述したように光学多層膜によるフィルター(エアマスフィルター)や、熱線吸収ガラスなどの光吸収を利用した色ガラスなどを使用し特定の波長帯域の光を減光し、目的とする分光放射分布に近づける補正を行うようにしている。この所望の分光放射分布とフィルター等の補正で得られた実際の出力光の分光放射分布の波長ごとの比率を合致度と呼び、最近の動きとして50ｎｍ幅毎に積算値を出し、合致度を±５％内に抑えることが要求されるようになってきている。地上に到達する太陽光スペクトルは図７Ａのグラフから分かるように760ｎｍ近傍領域と900〜980ｎｍの領域でエネルギーレベルが特異的に低くなっている。その原因は前者がエアロゾル層による光の吸収・散乱によるもの、後者は水蒸気分子による光吸収に起因するものである。このような分光特性を求められる精度で再現させるためには、特許文献２に示されるような可視光域から近赤外域まで１つのキセノンフラッシュランプを光源として用い、全領域の分光強度特性を１つのスペクトル変換フィルターで得るようにしたもので実現させることは困難である。また、先に示したキセノンランプとハロゲンランプの２光源を用いた最近の人工太陽光装置では、キセノンランプからの可視光は太陽光の可視域における分光強度分布に近く、そのまま簡単な分光透過特性をもつ補正フィルターを使用することで±５％の精度を満たすことができるのであるが、近赤外光については９４０ｎｍ付近の光量落ち込み特性を精度よく満たすことは補正フィルターを用いただけでは難しい。エアロゾル層に起因する760ｎｍ近傍領域の落ち込み特性は50ｎｍ幅に比べ帯域幅が狭いので太陽電池に照射した場合の影響は比較的小さいが、940ｎｍを中心とする900〜980ｎｍの領域の落ち込み特性はほぼ２区域に対応する帯域幅と広いため、この領域の特性精度が悪いと太陽電池に照射した場合の影響は大きいものとなる。したがって、人工太陽光源装置における940ｎｍを中心とする900〜980ｎｍの領域の波長特性の合致度は重要となる。しかし、多層膜フィルターによる分光透過率の調整は必要な部分だけを調整しようとしても調整の必要の無い波長領域の変化までも変化して影響が出てしまう場合が多い。また厳密に所望の分光透過率を変化させたフィルターを提供することもその製作精度の面から実現は難しい。色ガラスではガラスに含まれる金属イオンの吸収に依存しているため任意の分光特性の調整は不可能である。特に上記人工太陽光源において上記の近赤外域に存在する940ｎｍを中心とする水蒸気に伴う吸収領域では両側の変化も急峻であり上記フィルターによる補正は容易ではない。
【０００６】
また、ランプからの分光放射分布はランプ個体のバラツキ、また使用の経時的なその変化を伴うものであるため、製造時にはそれらを補正する際にはフィルターの特定の波長の透過率を常に厳密に調整する必要がある。しかし、従来のこの種の装置は製造時には±５％内の合致度が満たされていたとしても、経年変化によって、あるいはランプの交換によって±５％内の合致度が満たされなくなるという問題が生じる。光学多層膜によるフィルターの特性は一旦作成されたものの調整は難しく、現状ではフィルターの分光透過率を再設計により全く作り直す必要がある。
【発明の概要】
【発明が解決しようとする課題】
【０００７】
光源からの広波長域にわたる出力光を、所望の分光放射分布に近づけようとする際、従来は補正フィルターを新たに設計・作成し、合わせこむ作業を行っていたのであるが、この時、厳密な分光特性をもつフィルターの作成は前述したように困難を伴い、特に補正が難しい分光放射強度が急激に落ち込む波長部分を新たな補正量を持つフィルターで補正しようとすると他の波長部分に透過率の変動を生じたりするため、所望の分光放射分布をもつように設計されたフィルターの厳密な作成が困難であった。
そこで、本発明の課題は、上記のような問題を解決すること、すなわち、第一には所望の分光放射分布の波長領域の分光強度を他の領域へ影響を及ぼすことなく調整ができると共に、急峻な分光強度の変化特性にも対応できる光学機構を備えた光源装置を提供すること、更には光源ランプのスペクトル特性の器差や経年変化があってもそれを補正することができる光源装置を提供することにある。
【課題を解決するための手段】
【０００８】
本発明の分光放射分布の調整が可能な光源装置は、所望の分光放射分布に光源装置からの出力光の分光放射分布を一致させる手段として光源と光学素子が組み合わされた光源装置において、単数または複数の特定波長帯域を透過または反射する斜入射多層膜ミラーを使用して光源からの該特定波長帯域を該斜入射多層膜ミラーの反射、透過により除去する手段と、光量が調整された前記特定波長帯域の光を得る手段と、前記特定波長帯域が除去された光と前記光量が調整された特定波長帯域の光を斜入射多層膜ミラーで透過、反射により合波する手段とを備え、前記特定波長帯域の光を適度に補うことにより光源装置の出力光の分光放射分布の調整を可能とした。
また、本発明の分光放射分布の調整が可能な光源装置は上記の１つの形態として、前記特定波長帯域の光を得る手段には前記光源とは異なる光源を用い、光量の調整は該異なる光源への供給電力を調整するか、光路中に光量調整手段を介在させるようにした。
また、本発明の分光放射分布の調整が可能な光源装置は他の形態として、前記特定波長帯域の光を得る手段には透過／反射型ミラーによって除去された特定波長帯域の光を用い、光量の調整は光路中に光量調節手段をさせるようにした。
また、得られた出力光の分光放射分布を測定する手段と、該測定値を目的の分光放射分布と一致させるよう供給電力または光路中の光量調整手段に帰還を掛ける手段とを備え、自動的に分光放射分布を調整することを可能とした。
【発明の効果】
【０００９】
本発明の分光放射分布の調整が可能な光源装置は、所望の分光放射分布を得るためにフィルターの分光透過率を設計によって固定的に定めるものではなく、単数または複数の特定波長帯域を透過または反射する斜入射多層膜ミラーを使用して光源からの該特定波長帯域を該斜入射多層膜ミラーの反射、透過により除去した上で新たに光量が調整された前記特定波長帯域の光を得る手段からの光を合波する方式を採用したものであるから、他の波長領域への波及効果は皆無であり、特定波長帯域の特性だけを考慮して加える光量を調整するだけで特性を満たすことができる。しかも、帯域の両側で急峻な分光放射分布となっていても斜入射多層膜ミラーの帯域分離特性によってこれに対処できる。
また、前記特定波長帯域の光を得る手段に前記光源とは異なる光源を用いた形態では、光量の調整は該異なる光源への供給電力を調整するか、光路中に光量調整手段を介在させるだけの簡単な構成によって、簡便に目的の分光放射分布を持っ光源を実現することができる。
また、前記特定波長帯域の光を得る手段には透過／反射型ミラーによって除去された特定波長帯域の光を用いた形態では、新たな光源を準備することなく捨てていた光を有効利用するものであるから、コスト的に有利である。
また、得られた出力光の分光放射分布を測定する手段と、該測定値を目的の分光放射分布と一致させるよう供給電力または光路中の光量調整手段に帰還を掛ける手段とを備えたものは、経年変化や外乱によって出力光の分光放射分布に変化が生じても自動的に分光放射分布を調整することが可能である。
【図面の簡単な説明】
【００１０】
【図１】特定波長帯域を透過または反射する斜入射多層膜ミラーを使用して本発明の分光放射分布の調整の原理を説明する図である。
【図２】本発明の１実施形態を説明する図である。
【図３】本発明の異なる実施形態を説明する図である。
【図４】上記異なる実施形態の変形例を説明する図である。
【図５】本発明の実施例を説明する図である。
【図６】本発明の実施例の全体構成を説明する図である。
【図７】太陽光の分光分布、ハロゲンランプおよびキセノンランプの分光放射強度を示すグラフである。
【図８】現在使用されている疑似太陽光照射装置の構成を示す図である。
【図９】従来の疑似太陽光照射装置の構成を説明する図である。
【発明を実施するための形態】
【００１１】
以下、本発明の分光放射分布の調整可能な光源装置を人工太陽光源に用いたときの調整動作原理について説明する。図１は750ｎｍから1150ｎｍの近赤外光の領域での本発明の基本構造を示す。この波長域の光源としてこの例ではハロゲンランプ２を用いる。ハロゲンランプ分光放射分布は図７Ｂに示すようななだらかな特性を持っている。これをこの波長領城について太陽光のスペクトルに整合させる必要がある。前述したように太陽電池に照射した場合の影響はエアロゾル層に起因する760ｎｍ近傍領域の落ち込み特性の影響は小さいが、940ｎｍを中心とする900〜980ｎｍの領域の落ち込み特性は影響が大きいものとなることに鑑み、940ｎｍ近傍領域についてのみ太陽光のスペクトルに整合させるものとする。図１に示すように光軸を互いに９０°ずらせた位置に第１のハロゲンランプ２ａと第２のハロゲンランプ２ｂを配置し、それぞれの光軸に対し４５°傾斜させた斜入射多層膜ミラー６を配置する。この斜入射多層膜ミラー６の反射率特性は図１の右側のグラフに示すとおりである。第１のハロゲンランプ２ａからの光は斜入射多層膜ミラー６により反射されるが、940ｎｍを中心とした900ｎｍから980ｎｍの領域の光（以下940ｎｍ付近の光という。）は該斜入射多層膜ミラー６により透過され反射光からは除去される。斜入射多層膜ミラー６に対し逆の面から入射される第２のハロゲンランプ２ｂからの940ｎｍ付近の光は該斜入射多層膜ミラー６を透過されてハロゲンランプ２ａの反射光に同一光軸で加えられ、それ以外の帯域の光は該斜入射多層膜ミラー６によって反射させられる。この第２のハロゲンランプ２ｂの光量は電力などで調節することにより第１のハロゲンランプ２ａとは独立して調整が可能であるので、求められる940ｎｍ付近の光量、すなわち、900ｎｍから980ｎｍにわたる領域において光強度を50ｎｍ幅毎の積算値として捉えたとき、この領域はほぼ２区域にわたることになるが、太陽光特性との合致度を±５％内に収まるように調節することは新たに用意した光量として第２のハロゲンランプ２ｂの光量を調整することで容易に実現することが出来る。したがって、この機構によれば太陽光の940ｎｍ付近の分光強度にあわせ容易に調整できると共に、また、反射・透過特性から急峻な分光特性にも精度よく整合させることができる。すなわち、一方の第１のハロゲンランプ２ａの光量(電力)を一定にしておき、問題帯域の光を一旦除去してしまい、他方の第２のハロゲンランプ２ｂからの同帯域の光量(電力)を調整することにより人工太陽光源の940ｎｍ付近の光量落ち込みに整合させる本発明の手法によれば、他の領域のへの影響を生じることはなく、所望の分光放射分布に容易に合わせることができる。
【００１２】
また、異なる実施態様としては第２のハロゲンランプ２ｂの代わりにＬＥＤ、ＬＤ、放電灯などを光源として使用し、その光源の光量を調整して940ｎｍ付近の特性を得るようにすることも可能である。
このようにして近赤外領域の疑似太陽光は作れるが、更に、図２に示されるようにこの光はキセノンランプ１からの光を補正フィルター３を介して作った可視光領域の疑似太陽光とダイクロイックミラー５によって合波して出力光とされる。すなわち、キセノンランプ１からの光はダイクロイックミラー５によって近赤外境域のものは透過し、可視光領域のものが反射される。ハロゲンランプ２からの光もダイクロイックミラー５によって近赤外境域のものは透過し、可視光領域のものが反射されるが２つの光源からの光は入射角が90°ずれているため、キセノンランプ１からの反射光とハロゲンランプ２からの透過光は合波されて出力光として用いられる。他方、キセノンランプ１からの透過光とハロゲンランプ２からの反射光は合波され除去光とされる。前記出力光は図示していない投影光学系を介して被照射体へ照射されることとなる。
【００１３】
本発明の更なる実施形態としては新たに用意した光量のために異なる光源を用いず、ハロゲンランプ２の光から一旦除去した940ｎｍ付近の光の光量を所望量に減衰させた上で再度加えるという方式を採用することもできる。図３に示すように、具体的にはミラー10を組み合わせて戻してやることにより、新たに用意した光量として再利用するのである。このとき再利用光の光量はミラー10の反射率または光路に中性濃度フィルター（ＮＤフィルター）や液晶板等の透過率可変手段11といった光量調整手段を挿入することで実現することができる。この時の光量調整手段による調整は複雑な波長に対応した特性調整は必要が無く全体的な光量調整であるから製作は容易である。
また、この変形形態として、ハロゲンランプ２の光を再利用する代わりに、可視光領域の光源であるキセノンランプ１から除去される近赤外領域の光から、940ｎｍ付近の光を抽出して新たに用意した光量として利用することもできる。
【００１４】
図３に示した一旦除去した940ｎｍ付近の光の光量を所望量に減衰させた上で再度加えるという方式の実施形態では、940ｎｍ付近の光は斜入射多層膜ミラー６に再度戻されるまでの光路が他の波長域の光の光路より長くなる。このことは出力光を投影光学系を介して被照射体へ照射した場合、光源位置が異なることとなるため、被照射体面において照射光量が波長域によってバラツキが生じてしまうという問題を生じる。図４に示した実施形態はこの問題を考慮して光源位置に差ができないような構成としたものである。ハロゲンランプ２からの光は第１の斜入射多層膜ミラー６ａに入射され、940ｎｍ付近の光は透過され、他の領域の光は反射される。双方の光は反射ミラー１０によって90°光路を変更され、第２の斜入射多層膜ミラー６ｂに入射されるようにしてその光路を等しく調整する。940ｎｍ付近の光はその光路中に透過率可変手段11が挿入されるものとし、それによって光量の調整がなされる。第２の斜入射多層膜ミラー６ｂに入射された940ｎｍ付近の光は透過され、他の領域の光は反射されるが、この光は同じ光路に合波され、ダイクロイックミラー５へ入射される。他方キセノンランプ１からの光も補正フィルター３を介してダイクロイックミラー５に入射されて、可視光領域の疑似太陽光とよって合波して出力光とされる。
【００１５】
また、更なる付加機能として得られた出力光の分光放射分布を測定する手段と、それによって測定された値を目的の分光放射分布と一致させる制御手段を備えたものを提示する。測定手段によって得られた出力光の分光放射分布を目的の分光放射分布と対比させ、特定波長域、例えば940ｎｍ付近の光の光量がずれていた場合、ハロゲンランプ２ｂの供給電力を調整するとか、または光路中の光量調整手段に帰還を掛ける手段とを備えることにより、経年変化や外乱によって出力光の分光放射分布に変化が生じても自動的に分光放射分布を調整することが可能である。
【実施例】
【００１６】
次に本発明の１実施例を図５を参照しながら説明する。この実施例は図９に示した特許文献１（特許第1788805号）に示される２光源型のソーラーシミュレーターの構成を基礎として本発明を適用した例である。可視光領域の光源にキセノンランプ１を近赤外領域の光源には２つのハロゲンランプ２ａ，２ｂを用いる。光軸を互いに９０°ずらせた位置に第１のハロゲンランプ２ａと第２のハロゲンランプ２ｂを配置し、それぞれの光軸に対し４５°傾斜させた斜入射多層膜ミラー６を配置する。第１のハロゲンランプ２ａからの光は斜入射多層膜ミラー６により940ｎｍを中心とした900ｎｍから980ｎｍの領域の光（以下940ｎｍ付近の光という。）が透過されて除去されるが、それ以外の波長域の光はダイクロイックミラー５に送られる。斜入射多層膜ミラー６に対し逆の面から入射される第２のハロゲンランプ２ｂからの940ｎｍ付近の光は該斜入射多層膜ミラー６を透過されてハロゲンランプ２ａの反射光に同一光軸で加えられダイクロイックミラー５に送られるが、それ以外の帯域の光は該斜入射多層膜ミラー６によって反射され除去される。この第２のハロゲンランプ２ｂの光量は電力などで調節することにより第１のハロゲンランプ２ａとは独立して調整が可能であるので、求められる940ｎｍ付近の光量、すなわち、900ｎｍから980ｎｍにわたる領域において光強度を太陽光特性との合致度を±５％内に収まるように調節することが出来る。他方キセノンランプ１からの光は補正フィルター３を介してダイクロイックミラー５に入射される。キセノンランプ１からの光はダイクロイックミラー５によって近赤外境域のものは透過し、可視光領域のものが反射される。ハロゲンランプ２からの光もダイクロイックミラー５によって近赤外境域のものは透過し、可視光領域のものが反射されるが２つの光源からの光は入射角が90°ずれているため、キセノンランプ１からの反射光とハロゲンランプ２からの透過光は合波されて出力光として用いられる。本実施例の出力光は投影光学系７を介して被照射体９へ照射されることとなる。
【００１７】
次に示す実施例は、特定波長帯域の光を得る手段として、ハロゲンランプ２からの光ではなくキセノンランプ１からの光でダイクロイックミラー５によって一旦除去された近赤外光を利用する方式のものである。これを具体化した構成を図６に示す。この実施例で用いる斜入射多層膜ミラー６は前述のものとは異なり、特定波長領域すなわち940ｎｍ付近の光を反射させ、それ以外の領域の光を透過させる特性が逆のミラーである。基本的に可視領域の光をキセノンランプ１から、近赤外領域の光をハロゲンランプ２から得る光源装置である。まず、ハロゲンランプ２からの光は斜入射多層膜ミラー６に入射され、940ｎｍ付近の光は反射されて除去され、それ以外の領域の光は透過されてダイクロイックミラー５に入射される。この入射光はダイクロイックミラー５によって可視光領域の光は反射され、940ｎｍ付近の光が除かれた近赤外領域の光が透過され出力される。キセノンランプ１からの光はダイクロイックミラー５に入射されると、近赤外領域の光は透過され可視領域の光は反射されて出力光に加えられる。ダイクロイックミラー５によって反射されたハロゲンランプ２からの可視光領域の光とキセノンランプ１からのダイクロイックミラー５によって透過された近赤外領域の光は２つの反射ミラー10,10によって折り曲げられ斜入射多層膜ミラー６に入射される。そして、この光路中に透過率可変手段11を介在させ光量調整を行う。斜入射多層膜ミラー６に入射されたこの光は特定波長領域すなわち940ｎｍ付近の光を反射させ、それ以外の領域の光を透過させる。940ｎｍ付近の光はダイクロイックミラー５に入射され、この入射光はダイクロイックミラー５を透過することにより、出力光に加えられる。以上の動作によって本発明の光量が調整された特定波長帯域の光はキセノンランプ１からの光でダイクロイックミラー５によって一旦除去された近赤外光を利用するものとなる。合波された３領域の光が出力光となって、投影光学系７を介して被照射体９へ照射されることとなる。なお、光量調整は透過率可変手段11を用いずに反射ミラー10,10の反射率を調整するようにしてもよい。
先の実施例はハロゲンランプ２からの光を斜入射多層膜ミラー６を用いて、後の実施例はキセノンランプ１からの光からダイクロイックミラー５を用いて特定波長帯域の光を得ている。すなわち、本実施例では斜入射多層膜ミラー６やダイクロイックミラー５といった透過／反射型ミラーによって帯域項の取捨選択を行うものである。
【産業上の利用可能性】
【００１８】
本発明の所望の分光放射分布を容易に得る光源装置は、本発明の手法による分光放射分布の調整は１領域に限らず、水蒸気に起因する940ｎｍ付近やエアロゾルに起因する760ｎｍ付近や1120ｎｍ付近の減衰特性など複数の波長領域の調整も可能である。また、太陽電池のシミュレーションに用いる疑似太陽光源装置として説明してきたが、これに限らず、ダイクロイックミラー、フィルターを組合わせて使用し、所望の分光放射分布特性を備えた光源装置を提供できるものである。
【符号の説明】
【００１９】
１  キセノンランプ                    ２,2a,2b  ハロゲンランプ
３  キセノンランプ用の補正フィルター  ４  ハロゲンランプ用の補正フィルター
５  ダイクロイックミラー              ６,6a,6b  斜入射多層膜ミラー
７  投影光学系                        ８  吸熱器
９  被照射体（太陽電池）              10  反射ミラー
11  透過率可変手段
【先行技術文献】
【特許文献】
【００２０】
【特許文献１】特公平４−２４１号公報  「疑似太陽光照射装置」平成４年１月６日公告
【特許文献２】特開２００８−２８２６６３号公報  「光源装置および疑似太陽光照射装置」  平成２０年１１月２０日公開
【図１】
2011033871.tif 000003
【図２】
2011033871.tif 000004
【図３】
2011033871.tif 000005
【図４】
2011033871.tif 000006
【図５】
2011033871.tif 000007
【図６】
2011033871.tif 000008
【図７】
2011033871.tif 000009
【図８】
2011033871.tif 000010
【図９】
2011033871.tif 000011